(57)【要約】【課題】落下等によって強い衝撃が加えられた場合でも、光軸方向への振動が短時間で収束することを確保できるレンズ駆動装置を提供することを目的とする。【解決手段】レンズ駆動装置１０１は、レンズ体を保持可能な筒状のレンズ保持部材２と、レンズ保持部材２を光軸方向へ移動可能に支持する付勢部材３と、付勢部材３の一部を固定する固定側部材Ｒ４と、レンズ保持部材２を光軸方向に沿って移動させる駆動機構Ｍ５と、を備え、付勢部材３がレンズ保持部材２の上部に固定される上側板ばね３Ａを有し、上側板ばね３Ａが、レンズ保持部材２に固定される第１部分１３と、固定側部材Ｒ４に固定される第２部分２３と、第１部分１３と第２部分２３との間に設けられた弾性腕部５３ａと、第１部分１３から延設された延設部６３と、を有し、延設部６３と固定側部材Ｒ４との間に跨がっているダンパ材ＧＥが設けられていることを特徴としている。【選択図】図１０
2018004716.tif 000002
【特許請求の範囲】
【請求項１】
レンズ体を保持可能な筒状のレンズ保持部材と、該レンズ保持部材を光軸方向へ移動可能に支持する付勢部材と、該付勢部材の一部を固定する固定側部材と、前記レンズ保持部材を光軸方向に沿って移動させる駆動機構と、を備えたレンズ駆動装置において、
前記付勢部材が、前記レンズ保持部材の上部に固定される上側板ばねと、下部に固定される下側板ばねと、を有し、
前記上側板ばねが、前記レンズ保持部材に固定される第１部分と、該第１部分よりも外周側に位置し前記固定側部材に固定される第２部分と、前記第１部分と前記第２部分との間に設けられた弾性腕部と、を有し、
前記上側板ばねには、前記第１部分から延設された延設部が形成されており、
該延設部と前記固定側部材との間に跨がっているダンパ材が設けられていることを特徴とするレンズ駆動装置。
【請求項２】
前記上側板ばねには、前記第１部分が複数設けられており、
隣り合う前記第１部分からそれぞれ延設された前記延設部は、連結されて連結部を形成しており、
該連結部の中間部分に、前記ダンパ材が設けられていることを特徴とする請求項１に記載のレンズ駆動装置。
【請求項３】
前記固定側部材は、前記第２部分が固定される枠状部材を有し、
該枠状部材には、前記延設部の外周側に沿って延在する第１延在部が設けられており、
該第１延在部には、前記延設部側に開口した凹部が設けられており、
前記延設部には、一部が前記凹部内に位置するように突出した突出片が設けられており、
前記ダンパ材が前記突出片の少なくとも前記一部を埋設するように前記凹部に保持されていることを特徴とする請求項１または請求項２に記載のレンズ駆動装置。
【請求項４】
前記凹部が前記第１延在部に複数設けられているとともに、前記突出片が前記凹部に対応して前記延設部に複数設けられており、
前記ダンパ材がそれぞれの前記凹部に設けられていることを特徴とする請求項３に記載のレンズ駆動装置。
【請求項５】
前記枠状部材は、略矩形形状をなしており、互いに対向する一組の辺に沿って前記第１延在部がそれぞれ設けられているとともに、前記一組の辺と交差する他の一組の辺に沿って第２延在部がそれぞれ設けられており、
前記第１延在部の中間部に前記凹部がそれぞれ設けられているとともに、前記第２延在部の中間部に対向して前記第１部分が位置していることを特徴とする請求項３または請求項４に記載のレンズ駆動装置。
【請求項６】
前記ダンパ材は、ゲル状の樹脂材であることを特徴とする請求項１ないし請求項５のいずれかに記載のレンズ駆動装置。
【発明の詳細な説明】
【技術分野】
【０００１】
本発明は、例えばカメラ付き携帯機器に搭載されるレンズ駆動装置に関する。
【背景技術】
【０００２】
近年、携帯電話に代表される携帯機器にカメラ機構が搭載されているのは一般的となってきた。そして、この小型の携帯機器に搭載されるカメラ機構の主要部品であるレンズ駆動装置には、小型化の要求に加え、精度良くレンズ体（レンズが装着される鏡筒）を駆動させるという要求が高まってきた。この２つの要求を満たすべきレンズ駆動装置として、レンズ体を保持するレンズホルダ（レンズ保持部材）を駆動するための磁気回路をレンズホルダの周囲に設けたものが良く知られている。
【０００３】
このようなレンズ駆動装置として、特許文献１（従来例）では、図１３に示すようなレンズ駆動装置９０１が提案されている。図１３は、従来例のレンズ駆動装置９０１を説明する図であって、図１３（ａ）は、レンズ駆動装置９０１の分解斜視図であり、図１３（ｂ）は、図１３（ａ）に示す板バネ９０５の平面図である。
【０００４】
図１３（ａ）に示すレンズ駆動装置９０１は、レンズを保持し光軸方向へ移動可能な可動体（レンズホルダ９０７及びスリーブ９０８）と、可動体を光軸方向へ移動可能に保持する固定体（カバー部材９１０、ベース部材９１１、スペーサ９１２）と、可動体を光軸方向へ駆動するための駆動機構（駆動用コイル９１４及び駆動用磁石９１５）と、可動体と固定体とを繋ぐバネ部材としての板バネ９０５及び板バネ９０６と、を備えて構成される。
【０００５】
また、従来例のレンズ駆動装置９０１では、図１３（ｂ）に示すように、上側の板バネ９０５が、スリーブ９０８の上端側に固定される可動側固定部９０５ａと、スペーサ９１２に固定される４個の固定側固定部９０５ｂと、可動側固定部９０５ａと固定側固定部９０５ｂとを繋ぐ４本の腕部９０５ｃと、を備えて構成されている。そして、レンズ駆動装置９０１は、更に、可動側固定部９０５ａと腕部９０５ｃとに跨る箇所に、粘弾性を有する粘弾性組成物である緩衝材９１７が設けられている。これにより、レンズ駆動装置９０１は、この緩衝材９１７が固定体に対する可動体の光軸方向における振動を吸収するので、可動体に保持されるレンズの光軸方向への振動を短時間で収束させる（所謂ダンパ効果）ことが可能になる効果を奏するとしている。
【先行技術文献】
【特許文献】
【０００６】
【特許文献１】特開２０１２−３２６０７号公報
【発明の概要】
【発明が解決しようとする課題】
【０００７】
しかしながら、緩衝材９１７がバネ部材である可動側固定部９０５ａと固定側固定部９０５ｂとの間に位置する弾性変形可能な腕部９０５ｃにかかるように設けられているので、落下等、大きな衝撃が加えられた場合に、腕部９０５ｃが大きく変形して（不所望に大きな挙動をして）、緩衝材９１７がバネ部材から外れたり破断したりする虞があるという課題があった。
【０００８】
本発明は、上述した課題を解決するもので、落下等によって強い衝撃が加えられた場合でも、光軸方向への振動が短時間で収束することを確保できるレンズ駆動装置を提供することを目的とする。
【課題を解決するための手段】
【０００９】
この課題を解決するために、本発明のレンズ駆動装置は、レンズ体を保持可能な筒状のレンズ保持部材と、該レンズ保持部材を光軸方向へ移動可能に支持する付勢部材と、該付勢部材の一部を固定する固定側部材と、前記レンズ保持部材を光軸方向に沿って移動させる駆動機構と、を備えたレンズ駆動装置において、前記付勢部材が、前記レンズ保持部材の上部に固定される上側板ばねと、下部に固定される下側板ばねと、を有し、前記上側板ばねが、前記レンズ保持部材に固定される第１部分と、該第１部分よりも外周側に位置し前記固定側部材に固定される第２部分と、前記第１部分と前記第２部分との間に設けられた弾性腕部と、を有し、前記上側板ばねには、前記第１部分から延設された延設部が形成されており、該延設部と前記固定側部材との間に跨がっているダンパ材が設けられていることを特徴としている。
【００１０】
これによれば、本発明のレンズ駆動装置は、レンズ保持部材に固定される第１部分から延設された部分と第２部分が固定される固定側部材との間をダンパ材が繋ぐこととなる。このため、落下等によって強い衝撃が加わり、弾性腕部が不所望に大きく変形したとしても、延設部及びダンパ材が弾性腕部の変形の影響を受けないため、ダンパ材が延設部（上側板ばね）や固定側部材から外れたり破断したりし難くなる。このことにより、落下等によって強い衝撃が加えられた場合でも、ダンパ材によって、光軸方向への振動（すなわち、レンズ保持部材が所定の位置に落ち着くまでの時間）が短時間で収束する、所謂ダンパ効果を確保することができる。
【００１１】
また、本発明のレンズ駆動装置は、前記上側板ばねには、前記第１部分が複数設けられており、隣り合う前記第１部分からそれぞれ延設された前記延設部は、連結されて連結部を形成しており、該連結部の中間部分に、前記ダンパ材が設けられていることを特徴としている。
【００１２】
これによれば、隣り合う第１部分同士から延設されたそれぞれの延設部が互いに連結されて連結部を形成しているので、この延設部（連結部）にある程度の剛性を持たせることができ、落下等の強い衝撃が加わっても、延設部が不所望に大きく動くことが抑制される。また、連結部（延設部）の中間部分にダンパ材が設けられているので、レンズ保持部材に固定された第１部分とより離れた位置で延設部と固定側部材とがダンパ材で繋がり、レンズ保持部材に振動が発生した時には、延設部がバランス良くより独立して動くこととなる。このため、ダンパ材が上側板ばねから外れたり破断したりし難いものとすることができる。
【００１３】
また、本発明のレンズ駆動装置は、前記固定側部材が前記第２部分が固定される枠状部材を有し、該枠状部材には、前記延設部の外周側に沿って延在する第１延在部が設けられており、該第１延在部には、前記延設部側に開口した凹部が設けられており、前記延設部には、一部が前記凹部内に位置するように突出した突出片が設けられており、前記ダンパ材が前記突出片の少なくとも前記一部を埋設するように前記凹部に保持されていることを特徴としている。
【００１４】
これによれば、簡単な構成でありながら、レンズ保持部材に固定される上側板ばね（延設部）と固定側部材である枠状部材（第１延在部）とを容易にダンパ材で繋ぐことができる。しかも突出片が凹部内に入り込んでダンパ材が凹部に確実に保持されるので、レンズ保持部材と固定側部材とを確実に繋ぐことができる。このため、落下等の強い衝撃が加えられても、ダンパ材が凹部から外れにくく、ダンパ材が上側板ばねや枠状部材（固定側部材）から外れたり破断したりし難くなる。
【００１５】
また、本発明のレンズ駆動装置は、前記凹部が前記第１延在部に複数設けられているとともに、前記突出片が前記凹部に対応して前記延設部に複数設けられており、前記ダンパ材がそれぞれの前記凹部に設けられていることを特徴としている。
【００１６】
これによれば、ダンパ効果を高めることができるとともに、万が一、一つのダンパ材が外れたとしても、他の部分のダンパ材でダンパ効果を維持することができる。このことにより、レンズ保持部材に振動が発生した場合でも、ダンパ材によってその振動を抑制するダンパ効果を確実に確保することができる。
【００１７】
また、本発明のレンズ駆動装置は、前記枠状部材が、略矩形形状をなしており、互いに対向する一組の辺に沿って前記第１延在部がそれぞれ設けられているとともに、前記一組の辺と交差する他の一組の辺に沿って第２延在部がそれぞれ設けられており、前記第１延在部の中間部に前記凹部がそれぞれ設けられているとともに、前記第２延在部の中間部に対向して前記第１部分が位置していることを特徴としている。
【００１８】
これによれば、固定側部材（枠状部材）と上側板ばねとを繋ぐダンパ材が光軸を挟んで対向する位置に設けられるとともに、レンズ保持部材と上側板ばねとを固定する第１部分が光軸を挟んで対向する位置に設けられることになる。このため、四方の位置で上側板ばねを繋ぐこととなり、バランス良くレンズ保持部材の振動を抑制することができる。更に、上側板ばねの延設部を長くでき、延設部をレンズ保持部材とより独立して動きやすいものとできる。
【００１９】
また、本発明のレンズ駆動装置は、前記ダンパ材がゲル状の樹脂材であることを特徴としている。
【００２０】
これによれば、上側板ばねの延設部のダンパ材内での可動を許容しながら、レンズ保持部材の振動を抑制するダンパ効果を発揮できる。また、延設部と固定側部材との間にダンパ材を容易に跨がって設けることができる。
【発明の効果】
【００２１】
本発明のレンズ駆動装置は、レンズ保持部材に固定される第１部分から延設された部分と第２部分が固定される固定側部材との間をダンパ材が繋ぐこととなる。このため、落下等によって強い衝撃が加わり、弾性腕部が不所望に大きく変形したとしても、延設部及びダンパ材が弾性腕部の変形の影響を受けないため、ダンパ材が延設部（上側板ばね）や固定側部材から外れたり破断したりし難くなる。このことにより、落下等によって強い衝撃が加えられた場合でも、ダンパ材によって、光軸方向への振動（すなわち、レンズ保持部材が所定の位置に落ち着くまでの時間）が短時間で収束する、所謂ダンパ効果を確保することができる。
【図面の簡単な説明】
【００２２】
【図１】本発明の第１実施形態のレンズ駆動装置を説明する分解斜視図である。
【図２】本発明の第１実施形態のレンズ駆動装置を説明する斜視図である。
【図３】本発明の第１実施形態のレンズ駆動装置を説明する図であって、図３（ａ）は、図２をＺ１側から見た上面図であり、図３（ｂ）は、図２をＹ２側から見た正面図である。
【図４】本発明の第１実施形態のレンズ駆動装置を説明する図であって、図４（ａ）は、図２に示す筐体を省略した斜視図であり、図４（ｂ）は、図４（ａ）に示す枠状部材及び位置検出手段を更に省略した斜視図である。
【図５】本発明の第１実施形態のレンズ駆動装置を説明する図であって、図５（ａ）は、図２をＺ２側から見た底面図であり、図５（ｂ）は、図５（ａ）に示すベース部材を省略した底面図である。
【図６】本発明の第１実施形態のレンズ駆動装置を説明する図であって、図３（ａ）に示すＶＩ−ＶＩ線における断面図である。
【図７】本発明の第１実施形態に係わるレンズ駆動装置のレンズ保持部材を説明する図であって、図７（ａ）は、レンズ保持部材の斜視図であり、図７（ｂ）は、図７（ａ）に示すレンズ保持部材にコイルが巻回された斜視図である。
【図８】本発明の第１実施形態に係わるレンズ駆動装置の付勢部材を説明する図であって、図８（ａ）は、図１に示す上側板ばねをＺ１側から見た上面図であり、図８（ｂ）は、図１に示す下側板ばねをＺ１側から見た上面図である。
【図９】本発明の第１実施形態に係わるレンズ駆動装置の枠状部材を説明する図であって、図９（ａ）は、枠状部材の斜視図であり、図９（ｂ）は、枠状部材に上側板ばねが固定された状態を示す斜視図である。
【図１０】本発明の第１実施形態に係わるレンズ駆動装置の枠状部材を説明する図であって、図１０（ａ）は、図９（ｂ）をＺ１側から見た上面図であり、図１０（ｂ）は、図４（ａ）をＺ１側から見た上面図である。
【図１１】本発明の第１実施形態に係わるレンズ駆動装置のベース部材を説明する図であって、図１１（ａ）は、ベース部材の斜視図であり、図１１（ｂ）は、図１１（ａ）のベース部材に下側板ばねが載置された状態を示す斜視図である。
【図１２】本発明の第１実施形態に係わるレンズ駆動装置の位置検出手段を説明する図であって、図１２（ａ）は、位置検出手段の斜視図であり、図１２（ｂ）は、図１２（ａ）に示すＹ１側から見た位置検出手段の斜視図である。
【図１３】従来例のレンズ駆動装置を説明する図であって、図１３（ａ）は、レンズ駆動装置の分解斜視図であり、図１３（ｂ）は、図１３（ａ）に示す板バネの平面図である。
【発明を実施するための形態】
【００２３】
以下、本発明の実施の形態について図面を参照して説明する。
【００２４】
［第１実施形態］
図１は、本発明の第１実施形態のレンズ駆動装置１０１を説明する分解斜視図である。図２は、本発明の第１実施形態のレンズ駆動装置１０１を説明する斜視図である。図３（ａ）は、図２をＺ１側から見たレンズ駆動装置１０１の上面図であり、図３（ｂ）は、図２をＹ２側から見たレンズ駆動装置１０１の正面図である。図４（ａ）は、図２に示すレンズ駆動装置１０１の固定側部材Ｒ４である筐体４１を省略した斜視図であり、図４（ｂ）は、図４（ａ）に示す枠状部材４４及び位置検出手段Ｋ７を更に省略した斜視図である。図５（ａ）は、図２をＺ２側から見たレンズ駆動装置１０１の底面図であり、図５（ｂ）は、図５（ａ）に示すベース部材８を省略した底面図である。図６は、図３（ａ）に示すＶＩ−ＶＩ線における断面図であり、コイル３５に電流を流さない初期状態を示している。なお、図６は、ベース部材８を重力の作用する鉛直方向に配置して、この鉛直方向をＺ２方向としている。
【００２５】
本発明の第１実施形態のレンズ駆動装置１０１は、図２、図３及び図５（ａ）に示すような直方体形状の外観を呈し、図１及び図６に示すように、レンズ体（図示していない）を保持可能な筒状のレンズ保持部材２と、レンズ保持部材２を光軸方向ＫＤへ移動可能に支持する付勢部材３と、レンズ保持部材２を収容する筐体４１を含む固定側部材Ｒ４と、レンズ保持部材２を光軸方向ＫＤ（図２に示すＺ方向）に沿って移動させる駆動機構Ｍ５と、を備えて構成されている。他に、本発明の第１実施形態では、レンズ駆動装置１０１は、図４（ａ）に示すように、レンズ保持部材２の上方（図４に示すＺ１方向）に配設された固定側部材Ｒ４である枠状部材４４と、レンズ保持部材２の光軸方向ＫＤにおける位置を検出する位置検出手段Ｋ７と、図４（ｂ）に示すように、レンズ保持部材２の下方（図４に示すＺ２方向）に配設された固定側部材Ｒ４であるベース部材８と、を備えている。
【００２６】
また、付勢部材３は、図４（ｂ）に示すように、レンズ保持部材２の上部に固定される上側板ばね３Ａと、図５（ｂ）に示すように、レンズ保持部材２の下部に固定される２つの下側板ばね３Ｃ及び下側板ばね３Ｅと、を備えて構成され、レンズ保持部材２を支持している。
【００２７】
また、駆動機構Ｍ５は、図４及び図６に示すように、レンズ保持部材２の周囲に巻かれた環状のコイル３５と、コイル３５に対向配置された２つの駆動用磁石５５と、を備えている。
【００２８】
また、位置検出手段Ｋ７は、図４（ａ）に示すように、レンズ保持部材２に固定された検出用磁石７５と、検出用磁石７５に対向して設けられた磁気検出部材７７と、磁気検出部材７７が搭載された配線基板７９と、を備えている。
【００２９】
そして、レンズ駆動装置１０１は、図示しないレンズ体をレンズ保持部材２に保持し、撮像素子を実装した基板（図示していない）上に取り付けられる。そして、レンズ体に保持されたレンズを光軸方向ＫＤ（図２に示すＺ方向）に駆動させて焦点距離を調整するために、レンズ駆動装置１０１は、電源からコイル３５に電流が流されて生じる電磁力により、撮像素子に対して、レンズ保持部材２を光軸方向ＫＤに沿って移動させるものである。
【００３０】
次に、各構成部品について詳細に説明する。先ず、レンズ駆動装置１０１のレンズ保持部材２について説明する。図７は、レンズ保持部材２を説明する図であって、図７（ａ）は、レンズ保持部材２の斜視図であり、図７（ｂ）は、図７（ａ）に示すレンズ保持部材２にコイル３５が巻回された斜視図である。
【００３１】
レンズ駆動装置１０１のレンズ保持部材２は、合成樹脂の１つである液晶ポリマー（ＬＣＰ、Liquid Crystal Polymer）等を用い、図７に示すように、筒状に形成されており、円形形状の内周面及び角形形状の外周面（上端側は円形形状）を有する筒部１２と、筒部１２の上端側（図４に示すＺ１側）の外周面から径方向外側に突出した庇部２２と、庇部２２と対向して設けられ筒部１２の下端（図４に示すＺ２側）の外周面から径方向外側に突出した鍔部３２と、から構成されている。そして、レンズ保持部材２は、図４に示すように、ベース部材８の上方（図４に示すＺ１方向）に配置されている。
【００３２】
レンズ保持部材２の筒部１２は、その内周面に、図７に示すように、雌ねじ部１２ｎが形成されており、この雌ねじ部１２ｎに図示しないレンズ体が装着されて、保持される。また、筒部１２の外周面は、図７（ａ）に示すように、鍔部３２と庇部２２とに挟まれた部分が八角形状に形成されており、図７（ｂ）に示すように、この外周面に支持されてコイル３５が八角形状に巻回されている。
【００３３】
また、庇部２２の上方で筒部１２の外周面には、図７に示すように、台座部１２ｄが２箇所に対向して形成されている。そして、レンズ駆動装置１０１が組立てられた際には、図４（ｂ）に示すように、対向する（図４（ｂ）に示すＸ方向）２箇所の台座部１２ｄ（レンズ保持部材２）と付勢部材３の上側板ばね３Ａ（後述する第１部分１３）とが接着剤で固定される。
【００３４】
また、鍔部３２側のレンズ保持部材２の底面には、図５（ｂ）に示すように、下方（図５（ｂ）では紙面手前で図７に示すＺ２方向）に突出する円柱状の凸設部１２ｔが４箇所（２つの凸設部１２ｔ１及び２つの凸設部１２ｔ２）に設けられている。そして、レンズ駆動装置１０１が組立てられた際には、図５（ｂ）に示すように、２つの凸設部１２ｔ１が下側板ばね３Ｃ（後述する第３部分３３）と係合するとともに、２つの凸設部１２ｔ２が下側板ばね３Ｅ（後述する第３部分３３）と係合する。
【００３５】
更に、レンズ保持部材２の底面には、図５（ｂ）に示すように、下方に突出する角柱状の絡げ部１２ｋが２箇所に設けられている。そして、コイル３５のコイル端部のそれぞれが、この絡げ部１２ｋに巻き付けられて、２つの下側板ばね３Ｃ及び下側板ばね３Ｅにそれぞれはんだ付けされている。なお、図５（ｂ）では、２つのコイル端部と下側板ばね３Ｃ及び下側板ばね３Ｅとがはんだ付けされた半田ＨＤを破線で囲まれたクロスハッチングで模式的に示している。
【００３６】
次に、レンズ駆動装置１０１の付勢部材３について説明する。図８は、付勢部材３を説明する図であって、図８（ａ）は、図１に示す上側板ばね３ＡをＺ１側から見た上面図であり、図８（ｂ）は、図１に示す下側板ばね３Ｃ及び下側板ばね３ＥをＺ１側から見た上面図である。
【００３７】
レンズ駆動装置１０１の付勢部材３は、銅合金を主な材質とした金属板から作製されており、図４（ｂ）に示すように、レンズ保持部材２の筒部１２の内周面よりも大径な開口を有し、レンズ保持部材２と枠状部材４４との間に配設される上側板ばね３Ａと、レンズ保持部材２とベース部材８との間に配設される２つの下側板ばね３Ｃ及び下側板ばね３Ｅと、から構成されている。そして、レンズ保持部材２に付勢部材３のそれぞれ（上側板ばね３Ａ、下側板ばね３Ｃ、下側板ばね３Ｅ）の一部が固定されて、レンズ保持部材２が光軸方向ＫＤ（図２に示すＺ方向）へ移動可能になるように、付勢部材３がレンズ保持部材２を空中で支持している。なお、下側板ばね３Ｃ及び下側板ばね３Ｅ（２つの板ばね）は、図５（ｂ）に示すように、半田ＨＤによりコイル３５と電気的に接続されているので、コイル３５への給電部材としての機能も有している。
【００３８】
先ず、付勢部材３の上側板ばね３Ａは、図８（ａ）に示すように、外形形状が略矩形状をしており、レンズ保持部材２に固定される複数（本発明の第１実施形態では２箇所）の第１部分１３と、第１部分１３よりも外周側に位置し固定側部材Ｒ４（具体的には枠状部材４４）に固定される４箇所の第２部分２３と、第１部分１３と第２部分２３との間に設けられた４箇所の弾性腕部５３ａと、第１部分１３から延設された延設部６３と、４箇所の第２部分２３同士を繋ぐ桟部７３と、を有して構成されている。
【００３９】
また、本発明の第１実施形態では、図８（ａ）に示すように、隣り合う第１部分１３（互いに対向する第１部分１３）から延設されたそれぞれの延設部６３は、連結されて１つの連結部を形成しており、第１部分１３と延設部６３とで内側形状が円環形状を形成している。これにより、この連結部となった延設部６３にある程度の剛性を持たせることができ、落下等の強い衝撃が加わっても、延設部６３が不所望に大きく動くことが抑制される。
【００４０】
また、本発明の第１実施形態では、上側板ばね３Ａの延設部６３には、外側に向けて突出した突出片６３ｔが複数（２箇所にそれぞれ２つで合計４個）設けられている。
【００４１】
そして、上側板ばね３Ａがレンズ駆動装置１０１に組み込まれた際には、図４（ｂ）に示すように、第１部分１３がレンズ保持部材２の台座部１２ｄに載置され、第１部分１３と台座部１２ｄとを接着剤で固定することにより、上側板ばね３Ａの一方側がレンズ保持部材２に固定されるようになる。
【００４２】
一方、図６に示すように、第２部分２３の２箇所は、駆動用磁石５５の上面と当接しており（図４（ｂ）を参照）、枠状部材４４とともに、駆動用磁石５５と筐体４１とにより挟持される。なお、駆動用磁石５５は、筐体４１に接着剤で固定されている。更に、図示はしていないが、他の２箇所の第２部分２３は、枠状部材４４の下面に接着剤で固定されるので、上側板ばね３Ａの他方側が固定されるようになる。
【００４３】
このようにして、上側板ばね３Ａは、図８（ａ）に示すように、ほぼ線対称の形状に構成されており、レンズ保持部材２に対して第１部分１３の２箇所の均等な位置で固定されているとともに（図４を参照）、固定側部材Ｒ４（筐体４１、枠状部材４４及び駆動用磁石５５）に対して第２部分２３の４箇所の均等な位置で固定されている（図６を参照）。これにより、レンズ保持部材２をバランス良く空中で支持することができる。なお、本発明の第１実施形態では、駆動用磁石５５が２箇所の第２部分２３を枠状部材４４との間で挟持するため、駆動用磁石５５は、固定側部材Ｒ４の一部を構成するものとなる。一方、全ての第２部分２３を枠状部材４４に接着剤で直接的に固定する構成でも良い。
【００４４】
次に、付勢部材３の下側板ばね３Ｃ及び下側板ばね３Ｅは、図８（ｂ）に示すように、外形形状が略矩形状でそれぞれの内側形状が半円形状をしており、レンズ保持部材２と固定される４箇所の第３部分３３と、ベース部材８と固定される４箇所の第４部分４３と（後述する図１１（ｂ）を参照）、第３部分３３と第４部分４３との間に位置する２箇所の弾性腕部５３ｃ及び弾性腕部５３ｅと、それぞれ２箇所の第３部分３３を繋ぐ第１連鎖部８３と、それぞれ２箇所の第４部分４３を繋ぐ第２連鎖部９３と、を有して構成されている。
【００４５】
また、下側板ばね３Ｃ及び下側板ばね３Ｅの第３部分３３には、図８（ｂ）に示すように、円形の貫通孔３３ｋがそれぞれ形成されている。また、下側板ばね３Ｃ及び下側板ばね３Ｅの第４部分４３には、円形の貫通孔４３ｍがそれぞれ形成されているとともに、それぞれ１箇所に矩形の貫通孔４３ｓ及び貫通孔４３ｔが形成されている。
【００４６】
そして、この下側板ばね３Ｃ及び下側板ばね３Ｅがレンズ駆動装置１０１に組み込まれた際には、図５（ｂ）に示すように、レンズ保持部材２の２つの凸設部１２ｔ１（１２ｔ）が、下側板ばね３Ｃの貫通孔３３ｋ（図８（ｂ）を参照）に挿通されて嵌合されるとともに、レンズ保持部材２の２つの凸設部１２ｔ２（１２ｔ）が、下側板ばね３Ｅの貫通孔３３ｋ（図８（ｂ）を参照）に挿通されて嵌合される。これにより、下側板ばね３Ｃ及び下側板ばね３Ｅの一方側がレンズ保持部材２に位置決めされるとともに、レンズ保持部材２に固定される。なお、この際には、レンズ保持部材２の凸設部１２ｔ（１２ｔ１、１２ｔ２）に熱かしめを施して、より確実に下側板ばね３Ｃ及び下側板ばね３Ｅをレンズ保持部材２に固定している。
【００４７】
一方、後述するベース部材８の上面に設けられた突設部１８ｔ（図１を参照）が、下側板ばね３Ｃ及び下側板ばね３Ｅの貫通孔４３ｍ（図８（ｂ）を参照）に挿通されて嵌合される。これにより、下側板ばね３Ｃ及び下側板ばね３Ｅの他方側がベース部材８に位置決めされるとともに、ベース部材８に固定される。
【００４８】
このようにして、下側板ばね３Ｃと下側板ばね３Ｅとは、図８（ｂ）に示すように、ほぼ線対称の形状に構成されており、レンズ保持部材２に対して第３部分３３の４箇所の均等な位置で接続されているとともに、ベース部材８に対して第４部分４３の４箇所の均等な位置で接続されている。これにより、レンズ保持部材２をバランス良く空中で支持することができる。従って、以上のように構成された付勢部材３は、レンズ保持部材２を光軸方向ＫＤへ移動可能に支持している。
【００４９】
ここで、レンズ駆動装置１０１が組み立てられ、コイル３５に通電されていない初期状態における付勢部材３（上側板ばね３Ａ、下側板ばね３Ｃ及び下側板ばね３Ｅ）について、説明する。
【００５０】
上側板ばね３Ａの第１部分１３は、コイル３５に電流が流されていない初期状態においては、図６に示すように、第２部分２３よりも上方側（Ｚ１方向側）に位置している。従って、レンズ保持部材２には、上側板ばね３Ａによって、下方側（Ｚ２方向側）である下側板ばね３Ｃ及び下側板ばね３Ｅに向かう方向に付勢力が作用している。なお、第１部分１３から延設されている延設部６３も、初期状態においては、第１部分１３と同様に、上側板ばね３Ａの第２部分２３よりも上方側に位置している。
【００５１】
一方、下側板ばね３Ｃ及び下側板ばね３Ｅの第３部分３３は、コイル３５に電流が流されていない初期状態においては、第４部分４３よりも下方側に位置している。従って、レンズ保持部材２には、下側板ばね３Ｃ及び下側板ばね３Ｅによって、上方側である上側板ばね３Ａに向かう方向に付勢力が作用している。
【００５２】
これにより、レンズ保持部材２には、上側板ばね３Ａと下側板ばね３Ｃ及び下側板ばね３Ｅとによって、互いに押し合うような逆向きの付勢力が作用しており、レンズ保持部材２は、上側板ばね３Ａと下側板ばね３Ｃ及び下側板ばね３Ｅとの付勢力が釣り合った図６に示す初期状態に保持されている。
【００５３】
そして、このように付勢部材３（上側板ばね３Ａ、下側板ばね３Ｃ及び下側板ばね３Ｅ）によってレンズ保持部材２が保持されるように、上側板ばね３Ａの第１部分１３が固定されるレンズ保持部材２の上端部分と、下側板ばね３Ｃ及び下側板ばね３Ｅの第３部分３３が固定されるレンズ保持部材２の下端部分と、の光軸方向ＫＤにおける寸法は、上側板ばね３Ａの第２部分２３が固定される枠状部材４４の下面と、下側板ばね３Ｃ及び下側板ばね３Ｅの第４部分４３が固定されるベース部材８の上面と、の間の光軸方向ＫＤにおける寸法より、大きく設定されている。
【００５４】
次に、レンズ駆動装置１０１の固定側部材Ｒ４について説明する。図９は、固定側部材Ｒ４である枠状部材４４を説明する図であって、図９（ａ）は、枠状部材４４の斜視図であり、図９（ｂ）は、枠状部材４４に上側板ばね３Ａが固定された状態を示す斜視図である。図１０（ａ）は、図９（ｂ）をＺ１側から見た上面図であり、図１０（ｂ）は、図４（ａ）をＺ１側から見た上面図である。なお、図９（ｂ）及び図１０には、ダンパ材ＧＥを破線で囲まれたクロスハッチングで模式的に示している。図１１は、ベース部材８を説明する図であって、図１１（ａ）は、ベース部材８の斜視図であり、図１１（ｂ）は、図１１（ａ）のベース部材８に下側板ばね３Ｃ及び下側板ばね３Ｅが載置された状態を示す斜視図である。
【００５５】
固定側部材Ｒ４は、レンズ保持部材２が光軸方向ＫＤに沿って移動するのに対して、その移動を可能に支持する付勢部材３の一部を固定する機能を有した部材である。つまり、本発明の第１実施形態では、固定側部材Ｒ４は、図１に示すように、駆動用磁石５５との間に上側板ばね３Ａの第２部分２３を挟んで固定する筐体４１と、上側板ばね３Ａの第２部分２３が接着剤で固定される枠状部材４４と、下側板ばね３Ｃ及び下側板ばね３Ｅの第４部分４３が固定されるベース部材８と、を備えて構成されている。なお、本発明の第１実施形態では、上側板ばね３Ａの第２部分２３の２箇所を枠状部材４４と駆動用磁石５５とで挟持することにより、上側板ばね３Ａの他方側を固定しているので、この駆動用磁石５５も付勢部材３の一部を固定する固定側部材Ｒ４とも云える。
【００５６】
先ず、固定側部材Ｒ４の筐体４１について説明する。筐体４１は、非磁性の金属材料からなる金属板を用いて切断加工、絞り加工等を行い作製されており、図１に示すような外形が箱状に形成されて、図３（ａ）に示すような略矩形状（平面視して）をしている。そして、筐体４１は、筒状の外周部４１Ａと、外周部４１Ａの上端（図１に示すＺ１側）と連続して設けられた平板状の上板部４１Ｂと、を有して構成され、上板部４１Ｂに略円形状の開口部４１ｋが形成されている。また、筐体４１は、図２に示すように、レンズ保持部材２、付勢部材３（上側板ばね３Ａ、下側板ばね３Ｃ、下側板ばね３Ｅ）、枠状部材４４及び駆動機構Ｍ５（コイル３５及び駆動用磁石５５）を覆うようにして、それら部材を収容して、下方（図２に示すＺ２方向）に配設されたベース部材８に係合され、ベース部材８と一体化されている。
【００５７】
次に、固定側部材Ｒ４の枠状部材４４について説明する。枠状部材４４は、ポリブチレンテレフタレート（ＰＢＴ、polybutyleneterephtalate）等の合成樹脂を用い、図９（ａ）に示すように、中央に矩形状の開口部４４ｋを有し略矩形形状をなした枠体である。そして、枠状部材４４は、互いに対向する一組の辺である第１延在部４４Ａと、この一組の辺と直交状態で交差する他の一組の辺である第２延在部４４Ｂと、第１延在部４４Ａと第２延在部４４Ｂとを接続する角側部４４Ｃと、を備えて構成されている。
【００５８】
また、枠状部材４４の第１延在部４４Ａには、枠内に向けて開口した凹部４４ｒが複数（本発明の第１実施形態では２箇所で対向して２つで合計４つ）設けられている。また、本発明の第１実施形態では、この凹部４４ｒは、第１延在部４４Ａの中間部にそれぞれ設けられている。
【００５９】
そして、枠状部材４４がレンズ駆動装置１０１に組み込まれた際には、図４（ａ）に示すように、上側板ばね３Ａの上方に配設されて、図６に示すように、対角に配置された枠状部材４４の角側部４４Ｃと駆動用磁石５５とで上側板ばね３Ａの第２部分２３を挟持するようになる。また、図１０に示すように、枠状部材４４の第１延在部４４Ａが上側板ばね３Ａの延設部６３の外周側に沿って延在するとともに、枠状部材４４の第２延在部４４Ｂの中間部が上側板ばね３Ａの第１部分１３と対向して位置するようになる。
【００６０】
更に、図１０（ａ）に示すように、第１延在部４４Ａの凹部４４ｒがその開口を延設部６３側に向けることとなり、上側板ばね３Ａの延設部６３に設けられた突出片６３ｔの先端部（一部）が凹部４４ｒ内に位置するようになっている。なお、前述したように、レンズ駆動装置１０１の初期状態において、上側板ばね３Ａの延設部６３は、第２部分２３よりも上方側に位置している。このため、延設部６３に設けられた突出片６３ｔを適切に凹部４４ｒ（凹部４４ｒのＺ方向における中央部）に配置することができる。
【００６１】
そして、図９（ｂ）及び図１０に示すように、粘性を有したゲル状の樹脂材であるダンパ材ＧＥが、突出片６３ｔの少なくとも一部（先端部）を埋設するようにして、この複数（４つ）の凹部４４ｒに保持されているので、上側板ばね３Ａの延設部６３と固定側部材Ｒ４（具体的には枠状部材４４）との間に跨がってダンパ材ＧＥが設けられていることとなる。これにより、従来例と違い、上側板ばね３Ａの第１部分１３と第２部分２３との間に設けられた弾性腕部５３ａとは別な延設部６３で、ダンパ材ＧＥが固定側部材Ｒ４（枠状部材４４）との間を繋ぐこととなる。このため、落下等によって強い衝撃が加わり、弾性腕部５３ａが不所望に大きく変形したとしても、延設部６３及びダンパ材ＧＥが弾性腕部５３ａの変形の影響を受けないため、ダンパ材ＧＥが延設部６３（上側板ばね３Ａ）や固定側部材Ｒ４から外れたり破断したりし難くなる。なお、ダンパ材ＧＥは、紫外線硬化性のゲル状の合成樹脂からなり、例えば、スリーボンド社製のシリコーンゲル（製品名；ＴＢ３１６８）を用いることができる。
【００６２】
また、光軸方向ＫＤへ移動するレンズ保持部材２と固定側部材Ｒ４との間を繋ぐことでも無いので、レンズ保持部材２に振動が発生した場合でも、ダンパ材ＧＥがレンズ保持部材２の振動の影響を受け難い。また、延設部６３は、第１部分１３から延設されたものなので、レンズ保持部材２と一体的に動くが、レンズ保持部材２に固定された部位ではないため、ある程度、独立して動くことができる。このため、若干ダンパ材ＧＥに追従して延設部６３が動けるので、ダンパ材ＧＥがより破断しにくいものとすることができる。以上のことにより、落下等によって強い衝撃が加えられた場合でも、ダンパ材ＧＥによって、光軸方向ＫＤへの振動（すなわち、レンズ保持部材２が所定の位置に落ち着くまでの時間）が短時間で収束する、所謂ダンパ効果を確保することができる。
【００６３】
しかも、ダンパ材ＧＥが粘性を有したゲル状なので、上側板ばね３Ａの延設部６３（本発明の第１実施形態では突出片６３ｔ）のダンパ材ＧＥ内での可動を許容しながら、レンズ保持部材２の振動を抑制するダンパ効果を発揮できる。また、延設部６３と固定側部材Ｒ４との間に容易に跨がって設けることができる。
【００６４】
また、本発明の第１実施形態では、図９（ｂ）に示すように、ダンパ材ＧＥが延設部６３に設けられた突出片６３ｔを埋設するように第１延在部４４Ａに設けられた凹部４４ｒに保持されている構成なので、簡単な構成でありながら、レンズ保持部材２に固定される上側板ばね３Ａ（延設部６３）と固定側部材Ｒ４である枠状部材４４（第１延在部４４Ａ）とを容易にダンパ材ＧＥで繋ぐことができる。しかも突出片６３ｔが凹部４４ｒ内に入り込んでダンパ材ＧＥが凹部４４ｒに確実に保持されるので、レンズ保持部材２と固定側部材Ｒ４とを確実に繋ぐことができる。このため、落下等の強い衝撃が加えられても、ダンパ材ＧＥが凹部４４ｒから外れにくく、ダンパ材ＧＥが上側板ばね３Ａや枠状部材４４（固定側部材Ｒ４）から外れたり破断したりし難くなる。
【００６５】
しかも、強い衝撃によって、仮に、突出片６３ｔが凹部４４ｒから外れるほど延設部６３が大きく変形したとしても、衝撃が治まると、突出片６３ｔは再び凹部４４ｒ内に戻り、それ以降のダンピング効果が損なわれることはない。なお、凹部４４ｒにダンパ材ＧＥを設ける構成なので、ダンパ材ＧＥを容易に配設できるとともに、ダンパ材ＧＥが凹部４４ｒから容易に流れ出すこともない。また、凹部４４ｒの収容空間の形状を調整することで、ダンパ材ＧＥの量の調整も可能となる。
【００６６】
更に、本発明の第１実施形態では、凹部４４ｒが複数設けられているとともに、複数の凹部４４ｒに対応して突出片６３ｔ及びダンパ材ＧＥがそれぞれ設けられているので、ダンパ効果を高めることができるとともに、万が一、一つのダンパ材ＧＥが外れたとしても、他の部分のダンパ材ＧＥでダンパ効果を維持することができる。このことにより、レンズ保持部材２に振動が発生した場合でも、ダンパ材ＧＥによってその振動を抑制するダンパ効果を確実に確保することができる。
【００６７】
また、図１０（ａ）に示すように、枠状部材４４の第１延在部４４Ａの中間部に凹部４４ｒがそれぞれ設けられているとともに、枠状部材４４の第２延在部４４Ｂの中間部に対向して上側板ばね３Ａの第１部分１３が位置しているので、固定側部材Ｒ４（枠状部材４４）と上側板ばね３Ａとを繋ぐダンパ材ＧＥが光軸を挟んで対向する位置に設けられるとともに、レンズ保持部材２と上側板ばね３Ａとを固定する第１部分１３が光軸を挟んで対向する位置に設けられることになる。このため、四方の位置で上側板ばね３Ａを繋ぐこととなり、バランス良くレンズ保持部材２の振動を抑制することができる。
【００６８】
更に、隣り合う第１部分１３から延設されたそれぞれの延設部６３を連結して１つの連結部としているので、上側板ばね３Ａの延設部６３を長くでき、延設部６３をレンズ保持部材２とより独立して動きやすいものとすることができる。
【００６９】
次に、固定側部材Ｒ４のベース部材８について説明する。ベース部材８は、レンズ保持部材２と同じ液晶ポリマー（ＬＣＰ）等の合成樹脂材を用いて射出成形して作製されており、図１１（ａ）に示すように、外形が矩形の板状形状で構成され、その中央部分に円形状の開口部８ｋを有する環状形状に形成されている。また、ベース部材８の上面には、図１１（ａ）に示すように、上方に向けて突出する４つの突設部１８ｔ（２つの突設部１８ｔ１及び２つの突設部１８ｔ２）が四隅に設けられている。そして、前述したが、図１１（ｂ）に示すように、下側板ばね３Ｃ及び下側板ばね３Ｅの貫通孔４３ｍ（図８（ｂ）を参照）に、この突設部１８ｔが挿通されて嵌合される。なお、この際には、ベース部材８の突設部１８ｔに熱かしめを施して、より確実に下側板ばね３Ｃ及び下側板ばね３Ｅをベース部材８に固定している。
【００７０】
また、ベース部材８には、図１１（ａ）に示すように、銅や鉄若しくはそれらを主成分とした合金等の材質を用いた金属板からなる３つの端子Ｔ９（給電端子Ｔ９Ｃ、給電端子Ｔ９Ｅ、グランド端子Ｔ９Ｇ）が、インサート成形されて埋め込まれている。この電気的に絶縁された３つの端子Ｔ９のそれぞれは、図示していない撮像素子を実装した基板の電極ランドと電気的に接続され、この基板の電極ランドから電力を供給できるとともに、電極ランドに接地されるようになっている。つまり、給電端子Ｔ９Ｃ及び給電端子Ｔ９Ｅは電源に接続され、グランド端子Ｔ９Ｇはグランドに接続されている。
【００７１】
また、給電端子Ｔ９Ｃは、図１１（ｂ）に示す下側板ばね３Ｃの貫通孔４３ｓの部分で、図１１（ａ）に示す接続部Ｔ９ｄと電気的に接続されるとともに、給電端子Ｔ９Ｅは、図１１（ｂ）に示す下側板ばね３Ｅの貫通孔４３ｔの部分で、図１１（ａ）に示す接続部Ｔ９ｆと電気的に接続されている。これにより、この給電端子Ｔ９Ｃ及び給電端子Ｔ９Ｅから、下側板ばね３Ｃ及び下側板ばね３Ｅを介して、コイル３５に電流を流すことができる。なお、下側板ばね３Ｃ及び下側板ばね３Ｅと給電端子Ｔ９Ｃ及び給電端子Ｔ９Ｅとの接続は、図示はしていないが、はんだ付けや溶接等により容易に接続される。
【００７２】
また、ベース部材８には、詳細な図示はしていないが、銅や鉄若しくはそれらを主成分とした合金等の材質を用いた金属板からなる接続部材５９も、３つの端子Ｔ９と同様に、インサート成形されて埋め込まれており、接続部材５９の一部は、図３（ａ）に示すように、筐体４１の四隅に一部を露出している。そして、筐体４１の外周部４１Ａの内壁とベース部材８の外周側面が組み合わされて位置決めされた後に、ベース部材８の接続部材５９と筐体４１の四隅とのつなぎ目部分を４箇所溶接して、筐体４１をベース部材８に固定している。なお、接続部材５９の少なくとも一部は、グランド端子Ｔ９Ｇと一体に形成されている。このため、筐体４１は、接続部材５９及びグランド端子Ｔ９Ｇを介して、接地可能となっている。
【００７３】
次に、レンズ駆動装置１０１の駆動機構Ｍ５について説明する。駆動機構Ｍ５は、レンズ保持部材２を光軸方向ＫＤ（図１に示すＺ方向）に沿って移動させる機能を有し、図４（ｂ）に示すように、レンズ保持部材２の周囲に巻かれた環状のコイル３５と、コイル３５に対向配置された２つの駆動用磁石５５と、を備えて構成されている。
【００７４】
先ず、駆動機構Ｍ５のコイル３５は、外周に絶縁被覆（コーティング）が施された金属線材からなり、図７（ｂ）に示すように、レンズ保持部材２の外周に巻回されて、図１に示すように、略八角形の環状に形成さている。その際には、コイル３５は、図７（ｂ）に示すように、庇部２２と鍔部３２との間に配設され、角形形状の外周面に内側から支持されて固定される。なお、コイル３５は、金属線材が巻回されて束ねられた形状となっているが、図１、図４及び図７（ｂ）等では、簡略化して、表面を平坦にして示している。
【００７５】
また、コイル３５は、巻回された金属線材の両端部が電気的に導通可能となっており、前述したように、図５（ｂ）に示すように、コイル端部のそれぞれが２つの下側板ばね３Ｃ及び下側板ばね３Ｅとはんだ付けされて電気的に接続されている。
【００７６】
次に、駆動機構Ｍ５の駆動用磁石５５は、例えばサマリウムコバルト磁石を２つ用い、図５（ｂ）に示すように、筐体４１の外周部４１Ａの対向する角部に、コイル３５に対向状態で配設されて固定されている。また、駆動用磁石５５は、図１に示すように、平面視して、台形形状をなす柱状に形成されているとともに、図６に示すように、光軸方向ＫＤ（Ｚ方向）と直交する方向における断面形状が一定の形状を有している。これにより、駆動用磁石５５の生産性が良く、駆動用磁石５５から発生する磁束が安定したものとなる。なお、駆動用磁石５５は、短辺側の面と長辺側の面とに直交する直線方向に着磁されている。言い換えると、駆動用磁石５５はコイル３５と対向する内側と内側の反対側である外側（図１０を参照）とで異なる磁極となるように着磁されている。
【００７７】
以上のようにして、レンズ保持部材２及びコイル３５と筐体４１及び駆動用磁石５５とが各々配設されて構成されているので、レンズ駆動装置１０１は、電源からコイル３５に電流が流されて生じる電磁力により、電流が流れる方向に対応してコイル３５に推力が働き、レンズ保持部材２が上下に移動するようになっている。
【００７８】
最後に、レンズ駆動装置１０１の位置検出手段Ｋ７について説明する。図１２（ａ）は、位置検出手段Ｋ７の斜視図であり、図１２（ｂ）は、図１２（ａ）に示すＹ１側から見た位置検出手段Ｋ７の斜視図である。
【００７９】
位置検出手段Ｋ７は、図１２に示すように、レンズ保持部材２に固定された（図４（ａ）を参照）検出用磁石７５と、検出用磁石７５に対向して設けられた磁気検出部材７７と、磁気検出部材７７が搭載された配線基板７９と、を備えている。
【００８０】
先ず、位置検出手段Ｋ７の検出用磁石７５は、例えばサマリウムコバルト磁石を用いて直方体形状に形成され、図４（ａ）に示すように、レンズ保持部材２の鍔部３２上に配設されて固定されている。これにより、レンズ保持部材２の移動に伴って検出用磁石７５が移動するようになっている。なお、検出用磁石７５は、光軸方向ＫＤの上下で異なる磁極となるように着磁されている。
【００８１】
次に、位置検出手段Ｋ７の磁気検出部材７７は、磁気の変化を検出するホール素子を用いており、図１２（ｂ）に示すように、４つの端子部（図１２（ｂ）では、７７ａ及び７７ｂとして図示）を外側に露出してホール素子を内蔵したパッケージで形成されている。そして、後述する配線基板７９の４つの導電部材７９ｄとはんだ付けされて配線基板７９に固定されている。なお、ホール素子の感磁方向は図１２に示すＹ方向となっている。
【００８２】
次に、位置検出手段Ｋ７の配線基板７９は、図１２（ｂ）に示すように、導電性の金属部材で形成された４つの外部端子７９ｃと、この外部端子７９ｃと一体に形成され導電パターンを形成する導電部材７９ｄと、外部端子７９ｃを露出し導電部材７９ｄを埋設する基材部７９ｆと、を備えて構成されている。そして、配線基板７９の４つの外部端子７９ｃは、ベース部材８の端子Ｔ９とともに、図示していない撮像素子を実装した基板の電極ランドと電気的に接続される。なお、配線基板７９は、筐体４１の外周部４１Ａの内面に接着剤で固定される。
【００８３】
以上のように構成された位置検出手段Ｋ７は、レンズ保持部材２の移動に伴って検出用磁石７５が移動することにより、検出用磁石７５から発生する磁束が変化し、この磁束の変化を磁気検出部材７７で検出している。これにより、位置検出手段Ｋ７は、磁束の変化に対応した位置、すなわちレンズ保持部材２の光軸方向ＫＤにおける位置を検出することができる。
【００８４】
最後に、以上に構成されたレンズ駆動装置１０１の動作について簡単に説明する。
【００８５】
先ず、レンズ駆動装置１０１においては、コイル３５の両端部が下側板ばね３Ｃ及び下側板ばね３Ｅを介して給電端子Ｔ９Ｃと給電端子Ｔ９Ｅとに電気的に接続されているため、給電端子Ｔ９Ｃ及び給電端子Ｔ９Ｅからコイル３５に電流を流すことができる。一方、駆動用磁石５５からの磁束は、駆動用磁石５５を発してコイル３５を通過して駆動用磁石５５に戻るものとなっている。
【００８６】
図６に示す初期状態から、給電端子Ｔ９Ｃ側からコイル３５に電流を流すと、コイル３５にはフレミングの左手の法則に従って、光軸方向ＫＤであるＺ１方向からＺ２方向へ向かう電磁力が発生する。そして、レンズ保持部材２がＺ２方向に移動することとなる。一方、給電端子Ｔ９Ｅ側からコイル３５に電流を流すと、光軸方向ＫＤであるＺ２方向からＺ１方向へ向かう電磁力が発生し、レンズ保持部材２がＺ１方向に移動することとなる。
【００８７】
このように、コイル３５に電流を流すことで、コイル３５に発生する電磁力により、レンズ駆動装置１０１は、上側板ばね３Ａと下側板ばね３Ｃ及び下側板ばね３Ｅとのどちらか一方の付勢力に反して、図示しないレンズ体をレンズ保持部材２と一体にして、光軸方向ＫＤ（図２に示すＺ方向）に沿って移動させることが可能となる。なお、コイル３５に流される電流は、位置検出手段Ｋ７で検出したレンズ保持部材２の光軸方向ＫＤにおける位置精度に基づいて制御される。
【００８８】
以上のように構成された本発明の第１実施形態のレンズ駆動装置１０１における、効果について、以下に纏めて説明する。
【００８９】
本発明の第１実施形態のレンズ駆動装置１０１は、従来例と違い、上側板ばね３Ａの第１部分１３と第２部分２３との間に設けられた弾性腕部５３ａとは別に、第１部分１３から延設された延設部６３を有し、この延設部６３と固定側部材Ｒ４との間に跨がってダンパ材ＧＥを設ける構成なので、レンズ保持部材２に固定される第１部分１３から延設された部分と第２部分２３が固定される固定側部材Ｒ４との間をダンパ材ＧＥが繋ぐこととなる。このため、落下等によって強い衝撃が加わり、弾性腕部５３ａが不所望に大きく変形したとしても、延設部６３及びダンパ材ＧＥが弾性腕部５３ａの変形の影響を受けないため、ダンパ材ＧＥが延設部６３（上側板ばね３Ａ）や固定側部材Ｒ４から外れたり破断したりし難くなる。このことにより、落下等によって強い衝撃が加えられた場合でも、ダンパ材ＧＥによって、光軸方向ＫＤへの振動（すなわち、レンズ保持部材２が所定の位置に落ち着くまでの時間）が短時間で収束する、所謂ダンパ効果を確保することができる。
【００９０】
また、隣り合う第１部分１３同士から延設されたそれぞれの延設部６３が連結されて１つの連結部を形成しているので、延設部６３（連結部）にある程度の剛性を持たせることができ、落下等の強い衝撃が加わっても、延設部６３が不所望に大きく動くことが抑制される。また、連結部（延設部６３）の中間部分にダンパ材ＧＥが設けられているので、レンズ保持部材２に固定された第１部分１３とより離れた位置で延設部６３と固定側部材Ｒ４とがダンパ材ＧＥで繋がり、レンズ保持部材２に振動が発生した時には、延設部６３がバランス良くより独立して動くこととなる。このため、ダンパ材ＧＥが上側板ばね３Ａから外れたり破断したりよりし難いものとすることができる。
【００９１】
また、ダンパ材ＧＥが延設部６３に設けられた突出片６３ｔを埋設するように枠状部材４４の第１延在部４４Ａに設けられた凹部４４ｒに保持されているので、簡単な構成でありながら、レンズ保持部材２に固定される上側板ばね３Ａ（延設部６３）と固定側部材Ｒ４である枠状部材４４（第１延在部４４Ａ）とを容易にダンパ材ＧＥで繋ぐことができる。しかも突出片６３ｔが凹部４４ｒ内に入り込んでダンパ材ＧＥが凹部４４ｒに確実に保持されるので、レンズ保持部材２と固定側部材Ｒ４とを確実に繋ぐことができる。このため、落下等の強い衝撃が加えられても、ダンパ材ＧＥが凹部４４ｒから外れにくく、ダンパ材ＧＥが上側板ばね３Ａや枠状部材４４（固定側部材Ｒ４）から外れたり破断したりし難くなる。
【００９２】
また、凹部４４ｒが複数設けられているとともに、複数の凹部４４ｒに対応して突出片６３ｔ及びダンパ材ＧＥがそれぞれ設けられているので、ダンパ効果を高めることができるとともに、万が一、一つのダンパ材ＧＥが外れたとしても、他の部分のダンパ材ＧＥでダンパ効果を維持することができる。このことにより、レンズ保持部材２に振動が発生した場合でも、ダンパ材ＧＥによってその振動を抑制するダンパ効果を確実に確保することができる。
【００９３】
また、枠状部材４４の第１延在部４４Ａの中間部に凹部４４ｒがそれぞれ設けられているとともに、枠状部材４４の第２延在部４４Ｂの中間部に対向して上側板ばね３Ａの第１部分１３が位置しているので、固定側部材Ｒ４（枠状部材４４）と上側板ばね３Ａとを繋ぐダンパ材ＧＥが光軸を挟んで対向する位置に設けられるとともに、レンズ保持部材２と上側板ばね３Ａとを固定する第１部分１３が光軸を挟んで対向する位置に設けられることになる。このため、四方の位置で上側板ばね３Ａを繋ぐこととなり、バランス良くレンズ保持部材２の振動を抑制することができる。更に、上側板ばね３Ａの延設部６３を長くでき、延設部６３をレンズ保持部材２とより独立して動きやすいものとできる。
【００９４】
また、ダンパ材ＧＥがゲル状なので、上側板ばね３Ａの延設部６３のダンパ材ＧＥ内での可動を許容しながら、レンズ保持部材２の振動を抑制するダンパ効果を発揮できる。また、延設部６３と固定側部材Ｒ４との間に容易に跨がって設けることができる。
【００９５】
なお、本発明は上記実施形態に限定されるものではなく、例えば次のように変形して実施することができ、これらの実施形態も本発明の技術的範囲に属する。
【００９６】
＜変形例１＞
上記第１実施形態では、対向して隣り合う第１部分１３同士から延設されたそれぞれの延設部６３が連結されて１つの連結部を形成するように好適に構成したが、これに限るものではなく、例えば、桟部７３と対向して隣合う部分が切れている構成も良い。
【００９７】
＜変形例２＞
上記第１実施形態では、枠状部材４４の互いに対向する一組の辺を第１延在部４４Ａとし、この第１延在部４４Ａと交差する他の一組の辺を第２延在部４４Ｂとして構成したが、これに限るものではない。例えば、第１延在部が互いに対向する一組の辺からそれぞれ延設されてこの一組の辺に沿ってそれぞれ設けられてているとともに、第２延在部４４Ｂが他の一組の辺からそれぞれ延設されてこの一組（他の一組）の辺に沿ってそれぞれ設けられていれば良い。つまり、例えば、一組の辺に沿うようにして第１延在部を一組の辺とは別に設けても良いし、他の一組の辺に沿うようにして第２延在部を他の一組の辺とは別に設けても良い。
【００９８】
＜変形例３＞
上記第１実施形態では、レンズ駆動装置１０１の初期状態において、上側板ばね３Ａと下側板ばね３Ｃ及び下側板ばね３Ｅとが、互いに押し合うような向きの付勢力をレンズ保持部材２に作用させていたが、これに限るものではなく、初期状態の付勢力の方向が同じ向きでも良い。例えば、上側板ばね３Ａと下側板ばね３Ｃ及び下側板ばね３Ｅの付勢力がいずれもレンズ保持部材２を下方側に押す方向に作用しており、初期状態において、レンズ保持部材２がベース部材８に当接していても良い。なお、この場合でも、上側板ばね３Ａの第１部分１３及び延設部６３は、第２部分２３よりも上方側に位置している。
【００９９】
＜変形例４＞
上記第１実施形態では、レンズ保持部材２が光軸方向ＫＤに移動して、フォーカス調整が行われるレンズ駆動装置１０１であるが、この機能のみを備えた装置に限るものではない。例えば、レンズ保持部材２が光軸方向ＫＤと交差する方向にも可動可能に構成された、所謂、手振れ補正機能を備えたレンズ駆動装置に適用しても良い。
【０１００】
本発明は上記実施の形態に限定されず、本発明の目的の範囲を逸脱しない限りにおいて適宜変更することが可能である。
【符号の説明】
【０１０１】
２      レンズ保持部材
３      付勢部材
３Ａ        上側板ばね
３Ｃ、３Ｅ  下側板ばね
１３    第１部分
２３    第２部分
５３ａ  弾性腕部
６３    延設部
６３ｔ  突出片
Ｒ４    固定側部材
４４    枠状部材
４４Ａ  第１延在部
４４Ｂ  第２延在部
４４ｒ  凹部
Ｍ５    駆動機構
３５    コイル
５５    駆動用磁石
ＧＥ    ダンパ材
ＫＤ    光軸方向
１０１  レンズ駆動装置
【図１】
2018004716.tif 000003
【図２】
2018004716.tif 000004
【図３】
2018004716.tif 000005
【図４】
2018004716.tif 000006
【図５】
2018004716.tif 000007
【図６】
2018004716.tif 000008
【図７】
2018004716.tif 000009
【図８】
2018004716.tif 000010
【図９】
2018004716.tif 000011
【図１０】
2018004716.tif 000012
【図１１】
2018004716.tif 000013
【図１２】
2018004716.tif 000014
【図１３】
2018004716.tif 000015